(57)【要約】【課題】屋上緑化で実績のある薄層屋上緑化設備の植栽マットを簡便且つ十分な強度で施工可能な折板屋根の屋根緑化設備を提供する。【解決手段】上面に上載荷重を受け止める略平坦な取付面を有し、折板屋根２の山部４の頂部にその長さ方向に沿って固定設置した複数本の根太フレーム１０と、複数の根太フレーム１０にわたって敷設固定した略平坦な網状部材２０と、網状部材２０上に設けた植栽マットとを備えた。【選択図】　図１
2004135650.tif 000002
【特許請求の範囲】
【請求項１】
上面に上載荷重を受け止める略平坦な取付面を有し、折板屋根の山部の頂部にその長さ方向に沿って固定設置した複数本の根太フレームと、
前記複数本の根太フレームにわたって敷設固定した略平坦な網状部材と、
前記網状部材上に設けた植栽層と、
を備えた折板屋根の屋上緑化設備。
【請求項２】
前記植栽層として網状部材上に植栽マットを敷設し、複数の植栽固定金具を介して植栽マットを網状部材に固定した請求項１記載の折板屋根の屋根緑化設備。
【請求項３】
前記植栽マットとして網状部材上に設置される透水性を有する排水マットを下部に備えたものを用いた請求項２記載の折板屋根の屋根緑化設備。
【請求項４】
前記植栽固定金具として、支柱と、支柱の下端部を網状部材に固定する固定手段と、支柱の上端部に配置したトップ板であって、植栽マットを網状部材側へ押し付けて、植栽マットを網状部材に固定するトップ板とを備えたものを用いた請求項２又は３記載の折板屋根の屋根緑化設備。
【請求項５】
前記固定手段として、網状部材の開口から下側へ挿入可能な下側ベース板と、網状部材の上側に配置される上側ベース板とを備え、支柱を介して上下のベース板間に網状部材を挟持して支柱を網状部材に固定するものを用いた請求項４記載の折板屋根の屋根緑化設備。
【請求項６】
前記植栽マットとして排水マットを備えたものを用い、前記植栽固定金具として、支柱の途中部に、排水マットを網状部材側へ押し付けて、排水マットを網状部材に固定する中間板を配置したものを用いた請求項４又は５記載の折板屋根の屋根緑化設備。
【請求項７】
前記網状部材として開口が菱形状のものを用い、開口の対角線の長い方が折板屋根の山部の長手方向と略直交するように網状部材を施工した請求項１〜６のいずれか１項記載の折板屋根の屋根緑化設備。
【請求項８】
前記折板屋根の上下両端部において、折板屋根の谷部の底部に開口を残した状態で谷部を閉鎖する閉鎖板を設けた請求項１〜７のいずれか１項記載の折板屋根の屋根緑化設備。
【請求項９】
前記根太フレームとして、折板屋根固定用の剣先ボルト又はハゼに固定されるチャンネル材からなる固定フレームと、固定フレームに連なって配置されるチャンネル材からなる本体フレームと、固定フレームと本体フレームとを連結する連結部材とを有するものを用いた請求項１〜８のいずれか１項記載の折板屋根の屋根緑化設備。
【請求項１０】
前記植栽マットの上部に、透水性を有するベースマットと、ベースマット上に固定した繊維材からなる立体網状構造の培土保持部と備えた植栽基盤マットを設けた請求項１〜９のいずれか１項記載の折板屋根の屋根緑化設備。
【請求項１１】
前記根太フレームとして、折板屋根の勾配に適合する角度で軒側へ行くにしたがって嵩高となり、上面が略水平になるように折板屋根の山部の頂部に固定設置可能なものを用いた請求項１〜１０のいずれか１項記載の折板屋根の屋根緑化設備。
【請求項１２】
前記根太フレームとして同じ構成のものを用い、高さの不足する根太フレーム上に嵩上げ材を固定設置して、網状部材の取付面を略水平に配置した請求項１１記載の折板屋根の屋根緑化設備。
【請求項１３】
前記折板屋根の谷部を挟んで隣接配置される根太フレームを連結する連結部材を設けた請求項１１又は１２記載の折板屋根の屋根緑化設備。
【発明の詳細な説明】
【０００１】
【発明の属する技術分野】
本発明は、折板屋根への施工に好適な折板屋根の屋根緑化設備に関する。
【０００２】
【従来の技術】
近年、温暖化等に対する都市環境の改善を目的として、ビルやマンション等の屋上や家屋における屋根上スペースを有効活用して設置可能な屋上緑化設備が普及しつつある。
このような屋上緑化設備としては、屋上庭園タイプと薄層緑化タイプが実用化されており、特に薄層緑化タイプの薄層屋上緑化設備は、屋上庭園タイプの屋上緑化設備と比較して格段に軽量で、既設の建築物に対しても容易に適用できること、排水性を良好に維持できるとともに建築物の屋上表面の温度変化を抑制できるので、建築物の耐久性を向上できること、建築物の遮温性と保温性が高くなり光熱費を低減できること、などの優れた利点を有することから注目されている。
【０００３】
前記薄層屋上緑化設備としては、建築物に防水シートを敷設し、その上に排水マットと遮根シートと植栽マットとを下側から順番に積層してなる薄層緑化積層体を設置したものが実用化されている。そして、植栽マットとして、耐乾性に優れたセダム類を中心とした植生を薄い培土に植え付けてマット状にしたものを用いることで、薄層緑化積層体に対する保水量を低く設定可能となし、薄層緑化積層体の重量を軽減するとともに、温度変化の低減と紫外線の遮断による建築物の耐久性の低下を防止できるように構成されている。
【０００４】
一方、工場等の折板屋根上に施工可能な折板屋根緑化設備も種々提案されている。例えば、特開２０００−１６６３７５号公報には、折板屋根の谷部に植物植生材料をセットし、この植物植生材料に植物を植え付けた折板屋根緑化設備が記載されている。この公報には、植物植生材料として、例えばロックウール、セラミックウール等の鉱物繊維、あるいは、椰子殻、バーク、あるいは、カーシュレッダーダスト等のリサイクル材などを材料とし、これを所定の形状に成形して製作された、保水性を有するものが記載されている。
【０００５】
また、特開２００２−９５３４８号公報には、折板屋根上に非透水部材からなる断熱材を配置し、その上に植栽装置を設けた屋根緑化設備が記載されている。
【０００６】
【発明が解決しようとする課題】
ところで、前記薄層緑化設備に関しては、ある程度の実績を上げているが、折板屋根の屋根緑化設備に関しては、まだ十分な検討がなされていないのが実状である。
例えば前記特開２０００−１６６３７５号公報に記載の屋根緑化設備では、構成部品点数が少なくて安価に施工可能であるが、折板屋根の谷部にその深さ方向の途中部まで培土をセットするので、降雨水の排水が円滑になされず、降雨水量が多くなると培土が降雨水とともに流失すること、培土が降雨水を含んで重くなったときにおける屋根強度を十分に確保できず、緑化面積を大きく設定できないこと、湿潤な培土が折板屋根に常時接触しているので、折板屋根が傷み易くなること、などの問題がある。
【０００７】
また、前記特開２００２−９５３４８号公報に記載の屋根緑化設備では、非透水部材から断熱材上に植栽装置を配置させるので、湿潤な培土が折板屋根に直接的に接触することによる折板屋根の耐久性の低下を防止できるが、折板屋根の排水構造をそのまま利用できないので、排水構造が複雑になること、谷部に対応する位置に断熱材の曲げ強度を十分に確保することが困難で、植栽装置の施工のため作業者が断熱材に乗ったときや経年変化により、断熱材が谷部内に変形して元に戻らなくなること、などの問題がある。
【０００８】
本発明の目的は、屋上緑化で実績のある薄層屋上緑化設備の植栽マットを簡便且つ十分な強度で施工可能な折板屋根の屋根緑化設備を提供することである。
【０００９】
【課題を解決するための手段及びその作用】
請求項１に係る折板屋根の屋根緑化設備は、上面に上載荷重を受け止める略平坦な取付面を有し、折板屋根の山部の頂部にその長さ方向に沿って固定設置した複数本の根太フレームと、前記複数本の根太フレームにわたって敷設固定した略平坦な網状部材と、前記網状部材上に設けた植栽層とを備えたものである。
【００１０】
この屋根緑化設備においては、根太フレームを介在させて網状部材を折板屋根上に固定設置し、その上に植栽層を設けるので、屋根の勾配が比較的大きい場合でも、施工作業が煩雑になることを防止しつつ植栽層を安定的に折板屋根に設置できる。
【００１１】
つまり、折板屋根から上方へ突き出した剣先ボルト等を利用して、網状部材を折板屋根に直接的に固定設置し、その上に植栽層を設けることも可能であるが、屋根の勾配が例えば１／５０以上の急勾配になると、植栽層が網状部材とともに滑落することが考えられ、またこの滑落を防止するため剣先ボルト以外に新たな固定点を設けると、部品点数が増えるとともに、施工作業が煩雑になる。
【００１２】
それに対して本発明では、根太フレームを折板屋根の山部の頂部に固定するので、根太フレームと折板屋根との接触面積を十分に確保して、折板屋根との摩擦抵抗によって滑落方向への荷重を受け止めることができ、剣先ボルトに作用する剪断荷重を軽減し、勾配が比較的大きな折板屋根に対しても固定点を増やすことなく根太フレームを確実に固定できる。しかも、根太フレームの略平坦な取付面に対して網状部材を固定設置するので、根太フレームの任意の位置において網状部材を固定することが可能となり、根太フレームに対する網状部材の取付強度も十分に確保できる。
【００１３】
このように、少ない固定点で折板屋根に対する根太フレームの取付強度を十分に確保できるとともに、根太フレームに対する網状部材の取付強度を十分に確保できるので、屋根の勾配が比較的大きい場合でも、施工作業が煩雑になることを防止しつつ、植栽層を折板屋根に対して折板屋根固定用の剣先ボルトだけで確実に固定できることになる。また、ハゼで固定した折板屋根に適用する場合においても、剣先ボルトで固定した折板屋根と同様に、根太フレームと折板屋根との接触面積を十分に確保できるので、植栽層の下地材としての網状部材を折板屋根に対して強固に固定できることになる。
【００１４】
また、網状部材として金属製のものを使用するなどして、折板屋根の谷部に対応する位置における網状部材の強度を十分に確保できるので、植栽層を施工するときなどにおける網状部材の変形や経年変化による網状部材の変形を確実に防止できる。こうして網状部材により折板屋根上に軽量且つ安定した略平坦な設置面を形成できるので、植栽層を安定的に施工できる。
【００１５】
しかも、このような網状部材を用いると、植栽層への降雨水をそのまま折板屋根の谷部へ排水でき、折板屋根の排水構造を活用して降雨水を排水できるので、構成を複雑にすることなく、排水性に優れた屋根緑化設備を実現できる。また、植栽層自体が折板屋根に直接的に接触しないので、折板屋根の腐蝕等を防止できるとともに、太陽光線による折板屋根の耐久性の低下を防止でき、折板屋根の耐用年数を向上できる。
【００１６】
ここで、前記植栽層として網状部材上に植栽マットを敷設し、複数の植栽固定金具を介して植栽マットを網状部材に固定してもよい。この場合には、植栽層としての植栽マットを網状部材の任意の位置に設けた植栽固定金具で網状部材に固定でき、網状部材に対する植栽層の取付強度を十分に確保できるので、屋根緑化設備全体を折板屋根に対して強固に固定できることになる。また、前述のように網状部材により折板屋根上に軽量且つ安定した略平坦な設置面を形成できるので、屋上緑化で実績のある軽量且つ簡易な薄層緑化設備の植栽マットを網状部材の上側にそのまま施工することが可能となる。
【００１７】
前記植栽マットとして網状部材上に設置される透水性を有する排水マットを下部に備えたものを用いてもよい。網状部材としては、例えば金属製のエキスパンドメタルを用いることになるが、谷部上での作業に耐え得る強度のエキスパンドメタルは、開口が比較的大きなものとなるので、その上に遮根シートや植栽基盤マットを直接設置すると、これらのシートやマットが網状部材の開口から突出して植栽マットが破損する。このため、例えば合成樹脂製の線材を圧縮成形してなる排水マットを植栽マットの下部に備えさせ、遮根シートや植栽基盤マットを受け止めるように構成して、遮根シートや植栽基盤マットの破損を防止することが好ましい。また、このような排水マットは、通気性にも優れているので、山部を乗り越える方向への空気の流動を確保するが可能となり、高温時の温度低減効果並びに低温時の保温効果を得ることが可能となる。
【００１８】
前記植栽固定金具として、支柱と、支柱の下端部を網状部材に固定する固定手段と、支柱の上端部に配置したトップ板であって、植栽マットを網状部材側へ押し付けて、植栽マットを網状部材に固定するトップ板とを備えたものを用いてもよい。このような構成の植栽固定金具を用いると、網状部材の任意の位置に支柱を固定して、植栽マットを網状部材に固定できる。
【００１９】
前記固定手段として、網状部材の開口から下側へ挿入可能な下側ベース板と、網状部材の上側に配置される上側ベース板とを備え、支柱を介して上下のベース板間に網状部材を挟持して支柱を網状部材に固定するものを用いてもよい。この場合には、網状部材を敷設した後、その上側から支柱を固定できるので、植栽固定金具を容易に施工することが可能となる。また、下側ベース板の長さを調整することで、網状部材の開口の任意の位置に支柱を固定できるので、植栽マットの側縁を容易に且つ確実に植栽固定金具で保持することが可能となる。
【００２０】
前記植栽マットとして排水マットを備えたものを用い、前記植栽固定金具として、支柱の途中部に、排水マットを網状部材側へ押し付けて、排水マットを網状部材に固定する中間板を配置したものを用いてもよい。排水マットを備えた植栽マットを用いる場合には、排水マットの施工後、排水マット上に乗って遮根シートや植生基盤マット等を施工することになるが、折板屋根は勾配を有するので、施工作業の途中で排水マットがずれることが考えられる。本発明では、排水マットを網状部材に中間板で順次固定できるので、遮根シートや植生基盤マット等の施工作業の安全性を十分に確保することが可能となる。
【００２１】
前記網状部材として開口が菱形状のものを用い、開口の長い方の対角線が折板屋根の山部の長手方向と略直交するように網状部材を施工してもよい。網状部材に乗った作業者の荷重を効果的に受け止めるため、例えばエキスパンドメタルのように網状部材として開口が菱形状のものを用いる場合には、開口の対角線の長い方が折板屋根の山部の長手方向と略直交するように網状部材を施工することが好ましい。また、このような菱形状の開口を有する網状部材を用いる場合において、例えば上下のベース板からなる固定手段で網状部材を挟持するときには、下側ベース板として長辺側の一端部から外周外端までの長さが、網状部材の開口の短い方の対角線の長さ以上で、長い方の対角線の長さ未満に設定した板状部材を用いると、開口内の任意の位置に支柱を固定できるので好ましい。
【００２２】
前記折板屋根の上下両端部において、折板屋根の谷部の底部に開口を残した状態で谷部を閉鎖する閉鎖板を設けてもよい。このように構成すると、折板屋根の谷部内への過度の空気の流入を制限し、植栽マットの乾燥を防止して植生の成長を促進できるとともに、谷部内への風の吹き込みを制限して、植栽マットに下側から突き上げる力が作用することを抑制し、暴風時や強風時における植栽マットの剥離を効果的に防止できる。
【００２３】
前記根太フレームとして、折板屋根固定用の剣先ボルト又はハゼに固定されるチャンネル材からなる固定フレームと、固定フレームに連なって配置されるチャンネル材からなる本体フレームと、固定フレームと本体フレームとを連結する連結部材とを有するものを用いてもよい。通常、折板屋根は剣先ボルトやハゼなどの固定点において建築物に固定されているが、剣先ボルトで固定された折板屋根においては、剣先ボルトの配設位置が建物によって異なるので、根太フレームは現場合わせで施工する必要がある。しかし、施工現場において剣先ボルトに対応させて根太フレームに取付孔等を形成することは、現場における負担が大きくなり作業性が低下する。本発明では、根太フレームを固定フレームと本体フレームと連結部材とに分割構成しているので、工場等において予め固定フレームに対して剣先ボルトの取付孔等の必要な加工を施しておき、現場では本体フレームを剣先ボルトのピッチに応じて切断し、連結部材を介して固定フレームと本体フレームとを連結するという簡単な作業で、根太フレームを折板屋根に組み付けることが可能となる。また、このように構成することで、固定フレームを取り替えるだけで、この根太フレームをハゼで固定された折板屋根に対してもそのまま適用できるので好ましい。
【００２４】
前記植栽マットの上部に、透水性を有するベースマットと、ベースマット上に固定した繊維材からなる立体網状構造の培土保持部と備えた植栽基盤マットを設けてもよい。この場合には、植栽マットの施工後に植栽基盤マットの培土保持部に対して培土を吹き付けて保持させることができるので、予め植栽マットに培土を保持させたものを屋根上に持ち上げる場合と比較して、大型なクレーン等を用いることなく、植栽マットを屋根上に持ち上げて施工することが可能となる。
【００２５】
前記根太フレームとして、折板屋根の勾配に適合する角度で軒側へ行くにしたがって嵩高となり、上面が略水平になるように折板屋根の山部の頂部に固定設置可能なものを用いてもよい。この場合には、網状部材を略水平に配置することが可能となり、網状部材上に前述した植生マットを敷設できることは云うまでもなく、網状部材上に排水マットや遮根シートを敷設して盛土を施し、地面等同様に花壇や低木の植栽を行うことが可能となる。
【００２６】
前記根太フレームとして同じ構成のものを用い、高さの不足する根太フレーム上に嵩上げ材を固定設置して、網状部材の取付面を略水平に配置してもよい。根太フレームの上面を略水平に構成するには、根太フレームの高さを折板屋根の勾配に応じて軒側へ行くにしたがって高くなるように設定することになるが、このような根太フレームは特注品となることから製作コストが高く、屋根の勾配に沿って複数の根太フレームを連設する場合には、高さの異なる複数種類の根太フレームを製作する必要がある。本発明では、複数の根太フレームとして同じ構成のものを採用するので、高価な根太フレームを複数種類製作する必要がなく、また嵩上げ材は複数種類製作する必要はあるが、安価に製作可能な汎用品を採用できるので、屋根緑化設備の製作コストを全体として低減できる。
【００２７】
前記折板屋根の谷部を挟んで隣接配置される根太フレームを連結する連結部材を設けてもよい。この場合には、根太フレームの嵩高になることによる横倒れを防止できる。
【００２８】
【発明の実施の形態】
以下、本発明の実施の形態について、図面を参照しながら説明する。
図１〜図５、図１０に示すように、屋根緑化設備１は、建築物の折板屋根２上に設置されるもので、上面に上載荷重を受け止める略平坦な取付面１０ａを有し、折板屋根２の山部４の頂部にその長さ方向に沿って固定設置した複数本の根太フレーム１０と、複数の根太フレーム１０にわたって敷設固定した略平坦な網状部材２０と、植栽層として網状部材２０上に敷設した植栽マット３０と、植栽マット３０を網状部材２０に固定する複数の植栽固定金具４０とを備えている。また、網状部材２０は折板屋根２の外縁近くまで形成され、屋根緑化設備１の外縁部には仕切材５０が設けられ、折板屋根２の外縁部には見切り材６０が設けられ、仕切材５０と見切り材６０間には網状部材２０により作業通路５が形成され、折板屋根２の谷部６の上下両端には排水用の開口を残した状態で折板屋根２の谷部６を閉鎖して、植栽マット３０の下側の谷部６内への空気の流入を制限する閉鎖板７０を設けられている。但し、作業通路５は任意のレイアウトで形成することが可能であり、屋根緑化設備１を折板屋根２の外縁まで配置させる部位では、仕切材５０を省略して見切り材６０を屋根緑化設備１の外縁に配置させてもよい。
【００２９】
（折板屋根）
折板屋根２は、図１、図２、図５、図７に示すように、周知の構成のもので、棟側から軒先側へ延びる断面台形状の山部４を左右方向に一定間隔おきに形成し、隣接する山部４間に排水通路を構成する谷部６を形成したものである。折板屋根２を建築物の母屋７に固定するため、母屋７上には折板屋根２の断面形状に沿うように帯板を折曲してなる支持フレーム７ａが固定され、支持フレーム７ａの上端部には剣先ボルト８が上方へ突出状に固定されている。そして、折板屋根２を母屋７に固定する際には、折板屋根２を建築物の所定位置に設置して、剣先ボルト８を折板屋根２に刺し通し、剣先ボルト８の端部にナット９を締結することで母屋７に固定することになる。尚、折板屋根２としては、例えば断面波形状などの任意の断面形状のものを採用することが可能である。
【００３０】
（根太フレーム）
根太フレーム１０は、図１〜図５に示すように、折板屋根２に固定されるチャンネル材からなる固定フレーム１１と、固定フレーム１１に連なって配置されるチャンネル材からなる本体フレーム１２と、固定フレーム１１と本体フレーム１２との内側に配置され、両者を連結するチャンネル材からなる連結部材１３とを有するもので、折板屋根２の１個置きの山部４の頂部に剣先ボルト８を利用して固定設置されている。尚、根太フレーム１０は、ナット９を外すことなく剣先ボルト８に固定されている。
【００３１】
固定フレーム１１及び本体フレーム１２は、左右の側壁部１０ｂとそれを連結する上壁部１０ｃとを備えた略コ字状の同一断面サイズのチャンネル材でそれぞれ構成され、両フレーム１１，１２の左右の側壁部１０ｂの下端部には内側へ折り返した載置部１０ｄがそれぞれ形成され、両フレーム１１，１２はこの載置部１０ｄを折板屋根２の山部４の頂部付近に載置して、上壁部１０ｄを折板屋根２の山部４の頂面から一定高さ浮かした状態で折板屋根２に設置されている。尚、両フレーム１１，１２は、任意の素材で構成できるが、ネジ孔を形成することなく直接的にビス止め可能な、アルミニウム合金などの比較的軟質な軽量金属で構成することが、施工作業を簡略にできるので好ましい。
【００３２】
固定フレーム１１の途中部には剣先ボルト８が挿通可能な、屋根の傾斜方向に細長い取付孔１４が形成されて、固定フレーム１１の取付位置を屋根の傾斜方向に調整できるように構成されている。固定フレーム１１の長さは、固定フレーム１１に対して剣先ボルト８及び連結部材１３を固定可能な長さであれば任意の長さに設定でき、例えば長さ１５０〜２５０ｍｍのものを採用できる。本体フレーム１２の長さは、取扱性や輸送性を阻害しない範囲内で極力長尺に設定され、例えば長さ１５００〜２５００ｍｍのものを好適に採用できる。
【００３３】
そして、根太フレーム１０を折板屋根２に固定する際には、剣先ボルト８が固定フレーム１１の取付孔１４に挿通するように固定フレーム１１を折板屋根２の山部４の頂部に設置した状態で、剣先ボルト８に座板１５を装着してからナット１６を締結し、固定フレーム１１と本体フレーム１２とにわたってその内側に連結部材１３を装着し、本体フレーム１２の一端部を固定フレーム１１の端部に突き合わせた状態で、両フレーム１１，１２を連結部材１３にビス１７で固定することで、載置部１０ｄを山部４の頂部付近に圧接させた状態で折板屋根２に固定設置されている。但し、予め固定フレーム１１に対して連結部材１３を固定し、これを折板屋根２に固定してから、連結部材１３に固定フレーム１１を固定してもよい。また、剣先ボルト８の配設位置は建築物によって異なることから、必要に応じて本体フレーム１２を現場合わせで切断して、隣接する剣先ボルト８間の距離に応じて、根太フレーム１０の長さを調整することになる。
【００３４】
この根太フレーム１０においては、固定フレーム１１と本体フレーム１２と連結部材１３に分割構成するので、部品点数は増えるが、本体フレーム１２を切断するという現場合わせの簡単な作業で、根太フレーム１０の長さを容易に調整できるので、施工作業の作業性を向上できる。
【００３５】
但し、固定フレーム１１を省略し、連結部材１３で本体フレーム１２同士を直接的に連結するとともに、本体フレーム１２に対して現場合わせで取付孔１４を形成することも可能である。尚、固定フレーム１１及び本体フレーム１２としては、上面に略平坦な取付面１０ａを有し、折板屋根２の山部４の頂部に面積に接触させて安定的に設置できるものであれば、任意の断面形状のものを採用することが可能で、例えば略ロ字状の閉断面形状の部材を用いてもよい。また、根太フレーム１０は各山部４の頂部に設けてもよいし、折板屋根２に対する取付強度を十分に確保できる場合には、複数個置きの山部４の頂部に設けてもよい。更に、本体フレーム１２の内側に本体フレーム１２と折板屋根２の頂部間の空間に適合する厚さのリブ状部材や板状部材からなるスペーサ部材（図示略）を一定間隔おきに設けてもよい。この場合には、本体フレーム１２に作用する下方への荷重をスペーサ部材を介して折板屋根２で受け止めることができるので、本体フレーム１２として板厚の薄い軽量且つ安価なものを採用しつつ、作業者等の荷重により本体フレーム１２が撓んだり変形したりするという不具合を防止できる。
【００３６】
（網状部材）
網状部材２０としては、金属線材を編成又は織成してなるものや、エキスパンドメタルを好適に利用できる。網状部材２０の開口２１の形状は、正方形や長方形、菱形や亀甲形など、任意の形状に設定できるが、後述する植栽固定金具４０を用いる場合には、開口２１が菱形の網状部材２０を用いることが好ましい。
【００３７】
この網状部材２０は、図１、図２、図６に示すように、隣接する複数の根太フレーム１０にわたって取付面１０ａ上に棟から軒先にわたって敷設され、根太フレーム１０の上側において網状部材２０上に長さ方向に適当間隔おきに固定板２２をセットし、この固定板２２をビス２３で根太フレーム１０に固定することで、固定板２２と根太フレーム１０間に網状部材２０を挟持して、根太フレーム１０に固定されている。但し、折板屋根２の一部に屋根緑化設備１を設ける場合には、屋根緑化設備１を施工する領域に根太フレーム１０及び網状部材２０を設けてもよい。
【００３８】
（植栽マット）
植栽マット３０は、図３、図１０に示すように、排水マット３１と遮根シート３２と植栽基盤マット３３とを下側から順番に積層してなるものである。
排水マット３１は、繊維材を立体網状構造のマット状に成形した透水性を有する部材で、その圧縮強度は、作業者が上に乗っても座屈しない程度、例えば４０ｋＮ／ｍ２以上に設定されている。排水マットの厚さは、任意に設定可能であるが、取扱性を考慮して２０〜５０ｍｍに設定することが好ましい。また方形状に成形したものや、長尺な帯状に成形したものを好適に採用できる。排水マット３１として、耐環境性に優れたものであれば任意に設定でき、例えばポリエチレンやポリプロピレンやポリエチレンテレフタレートなどの合成樹脂繊維、天然繊維や金属細線を好適に利用できる。特に、ポリプロピレンからなる合成樹脂繊維は、耐酸性、耐アルカリ性、耐微生物性などに優れた特性を有するので好適である。
【００３９】
遮根シート３２は、植栽基盤マット３３からの水は通すが植生の根の通過を阻止するもので、合成樹脂繊維や天然繊維からなる透水性に優れた織布や不織布に根が嫌う薬剤を含浸させたものである。この遮根シート３２としては任意の厚さのものを採用できるが、植栽マット３０の厚さをできるだけ薄肉軽量に構成するため、植生の根の通過を阻止できる範囲で極力薄肉に構成することが好ましく、例えば厚さ２ｍｍ以下に設定することになる。遮根シート３２としては、例えば幅１．０〜２．０ｍの汎用サイズのものを使用し、隣接する遮根シート３２に関してはその側縁を例えば３０ｃｍ重ねて施工することになる。
【００４０】
植栽基盤マット３３は、周知の構成のもので、透水性を有するベースマット３４と、ベースマット３４上に固定した繊維材からなる立体網状構造の培土保持部３５とを備えたもので、ベースマット３４は、ポリエチレンやポリプロピレンなどからなる厚さ１．５〜１０ｍｍのマットで構成され、培土保持部３５は、ポリエチレンやポリプロピレンなどの繊維材で構成されている。
【００４１】
このような植栽基盤マット３３は、４００〜２０００ｇ／ｍ２と軽量なので、例えば幅１〜２ｍの植栽基盤マット３３をロール状に巻いたものを屋根上への移載し、屋根上への施工後に、培土保持部３５に対して培土を散布保持させてから植生の苗を植え付けて施工できる。このため、予め植生を植え付けた植栽マット３０と比較して、輸送性や屋根上への移載性や施工性に優れたものとなる。但し、植生が生育して根で培土が保持されるまでの間、植生の苗や培土が流失しないようにするため、培土に糊状の液体を散布して、培土の表面を適度に固めてもよい。また、植栽基盤マット３３は、植生が生育可能なものであれば、他の周知の構成のものを採用してもよい。
【００４２】
植生としては、アルブム、タイトゴメ、リフレクサム、マルバマンネン、メキシコマンネンなどのベンケイソウ科に属するセダム類や芝生などのように、比較的乾燥に強い植生が好適である。
【００４３】
但し、植栽マット３０に代えて、網状部材２０上に排水マット３１と遮根シート３２とを順次敷設した後、その上に盛土を施した植栽層を設け、盛土に対して草花や低木などの各種植生を植えるように構成することも可能である。特に、後述するように、網状部材２０を折板屋根上に略水平面を配置させる場合には、勾配による盛土の流失もほとんどないので、このような構成を好適に採用できる。
【００４４】
（仕切材）
次に、植栽マット３０の外縁を保持する仕切材５０について説明する。
仕切材５０は、図１、図２に示すように、ステンレス板や鉄板やアルミ板などの金属製の一定長さの帯板をその幅方向の途中部において約９０°折曲して断面略Ｌ字状に形成したもので、植栽マット３０の外縁に当接される仕切部５１と、仕切部５１の下端から網状部材２０に沿って延びる固定部５２とを備え、固定部５２を外側へ向けて仕切部５１を植栽マット３０の外縁に当接させ、固定部５２を根太フレーム１０にビス５３にて固定することで、折板屋根２に固定されている。この仕切材５０は、植栽マット３０の外縁全長にわたって設けてもよいが、植栽マット３０の外縁に適当間隔おきに設けてもよい。
【００４５】
（見切り材）
次に、折板屋根２の外縁部を覆う見切り材６０について説明する。
見切り材６０は、図１、図２、図７、図８に示すように、ステンレス板や鉄板やアルミ板などの金属製の一定長さの帯板をその幅方向の途中部において約９０°折曲して断面略Ｌ字状に形成したもので、折板屋根２に対する固定部６１と、固定部６１の一側から上方へ延びる見切り部６２とを備え、固定部６１を折板屋根２の内側へ向けて見切り部６２を折板屋根２の外縁に沿って配置させ、固定部６１を根太フレーム１０にビス６２ｂで固定することにより、折板屋根２の外縁に沿って連続的に配置されている。
【００４６】
見切り部６２の上端部には折返部６２ａが形成され、見切り材６０の強度アップと、見切り材６０を取り扱う際における安全性を向上するように構成されている。見切り材６０としては例えば長さ２ｍのものが採用され、これを断面略Ｌ字状の直列連結部材６３及びコーナ連結部材６４を用いて連結して、折板屋根２の外縁に沿って連続的も設けることになる。具体的には、見切り材６０を直列状に連結する場合には、ステンレス板や鉄板やアルミ板などの金属製の一定長さの帯板をその幅方向の途中部において約９０°折曲して断面略Ｌ字状に形成した直列連結部材６３を用い、この直列連結部材６３の上端部を見切り材６０の折返部６２ａ内に挿入した状態で、直列連結部材６３を隣接する見切り材６０の内側に沿って配置させ、直列連結部材６３を仕切部５１にボルト６５及びナット６６やリベットなどの固定具を用いて連結することになる。また、見切り材６０をＬ字状に連結する場合には、ステンレス板や鉄板などの金属製の一定長さの帯板をその幅方向の途中部において約９０°折曲して断面略Ｌ字状に形成し、更に長さ方向の途中部で平面視Ｌ字状に折曲させたコーナ連結部材６４を用い、このコーナ連結部材６４の上端部を見切り材６０の折返部６２ａ内に挿入した状態で、コーナ連結部材６４を隣接する見切り材６０の内側に配置させ、コーナ連結部材６４を仕切部５１にボルト６７及びナット６８やリベットなどの固定具を用いて連結することになる。
【００４７】
但し、前記仕切材５０を省略して、この見切り材６０で植栽マット３０の外縁を押さえるように構成してもよい。また、見切り材６０自体は、屋根の外観を高めるためのものなので、仕切材５０が内側にある場合には省略することも可能である。
【００４８】
（閉鎖板）
図１、図２に示すように、折板屋根２の上下両端部には、谷部６の底面側を開口させた状態で谷部６を閉鎖する閉鎖板７０が設けられている。この閉鎖板７０は、ステンレス板や鉄板やアルミ板などの金属板、或いは合成樹脂成形体で構成され、谷部６を閉鎖する台形状の閉鎖部７１と、隣接する複数の閉鎖部７１を連結する連結部７２とを備え、連結部７２を根太フレーム１０上に固定することで取付けられている。
このような閉鎖板７０を設けると、谷部６内への風の流入を抑制し、植栽マット３０が乾燥することを防止して植生の成長を促進できるとともに、暴風時や強風時における谷部６への風の流入を阻止して、植栽マット３０に下側から突き上げる力が作用することを抑制し、強風による植栽マット３０の剥離を効果的に防止できる。
【００４９】
（植栽固定金具）
次に、植栽マット３０を建築物に固定するための植栽固定金具４０について説明する。
植栽固定金具４０は、図９〜図１２に示すように、網状部材２０の開口２１から網状部材２０の下側へ挿入可能な下側ベース板４１と、網状部材２０の上側に配置した上側ベース板４２と、ボルト部材からなる支柱４３と、上側ベース板４２の上側において支柱４３に螺合させた第１ナット部材４４と、支柱４３の途中部に上下移動自在に装着した中間板４５と、中間板４５の上側において支柱４３に螺合させた第２ナット部材４６と、支柱４３の上端部に上下移動自在に装着したトップ板４７と、支柱４３の端部に螺合させた袋ナット４８とを備えている。尚、ベース板４１、４２が固定手段に相当するが、この固定手段としては、網状部材２０をクランプするタイプや網状部材２０に引っ掛け可能なフック等を備えたものなど、網状部材２０の上側から網状部材２０に対して取付可能なものであれば、任意の構成のものを採用できる。
【００５０】
この植栽固定金具４０は、下側ベース板４１と上側ベース板４２間に網状部材２０を挟持することで網状部材２０に固定されている。また、この植栽固定金具４０では、上側ベース板４２と中間板４５間において隣接する排水マット３１の側縁を設定間隔おきに挟持することで、排水マット３１を建築物に固定保持するとともに隣接する排水マット３１を連結し、中間板４５とトップ板４７間において遮根シート３２を挟持するとともに、隣接する植栽基盤マット３３の側縁を挟持することで、遮根シート３２と植栽基盤マット３３を建築物に固定保持するとともに、隣接する植栽基盤マット３３を連結することになる。但し、複数枚の排水マット３１を１つの植栽基盤マット３３の下側に左右に隣接配置させる場合には、植栽固定金具４０の支柱４３に代えて短尺な支柱を用いるとともにトップ板４７を省略し、上側ベース板４２と中間板４５とで排水マット３１のみを挟持するように構成してもよい。
【００５１】
上側ベース板４２と下側ベース板４１と中間板４５とトップ板４７は、平坦なステンレス鋼板や鉄板などの金属板をプレス成形して製作したものある。但し、合成樹脂材料で構成することも可能である。
上側ベース板４２は、支柱４３を網状部材２０の開口２１の任意の位置へ移動させても該開口２１から脱落しないサイズであれば、一辺の長さが開口２１を構成する網状部材２０の一辺の長さＬよりも大きな正方形状や、開口２１を構成する一辺の長さＬよりも大きな直径の円形等、任意の形状及びサイズのものを採用できる。
【００５２】
下側ベース板４１は、支柱４３を装着した状態で網状部材２０の下側へ挿入可能で且つ網状部材２０の下側に水平に配置させた状態で、網状部材２０の開口２１内の任意の位置に支柱４３を移動させても、網状部材２０の上方への移動が規制されるようなサイズ及び形状に設定されている。具体的には、図１２に示すように、下側ベース板４１の長辺側の一端部から支柱４３の反対側の周縁までの長さＬ１が、網状部材２０の開口２１の短い方の対角線の長さＬ２以上で、長い方の対角線の長さＬ３未満に設定した長方形の板状部材で構成されている。
このような下側ベース板４１及び上側ベース板４２を用いると、下側ベース板４１を網状部材２０の下側に挿入した状態で、網状部材２０の開口２１の任意の位置へ支柱４３を移動させても、下側ベース板４１と上側ベース板４２間に網状部材２０を挟持できるので、網状部材２０に対する植栽固定金具４０の施工が容易になる。
【００５３】
中間板４５の中央部には支柱４３が挿通する挿通孔４５ａが形成され、中間板４５の四隅には排水マット３１に差し込まれる第１係合爪４５ｂが中間板４５の四隅を下方へ折曲させて形成され、中間板４５の四隅の近傍部には第２係合爪４５ｃが切り起こしにより形成され、中間板４５は第１係合爪４５ｂ及び第２係合爪４５ｃを排水マット３１に突き刺して排水マット３１に係合されている。第１係合爪４５ｂはその基部の両端部を切り欠いて矢印状に形成され、排水マット３１に突き刺した状態で第１係合爪４５ｂが抜け難くなるように構成されている。但し、この中間板４５は省略してもよい。
【００５４】
トップ板４７は、隣接する４枚の植栽基盤マット３３を押さえつつ、植栽の生育を阻害しないようにその面積を極力小さくするため、略十文字状に形成されている。トップ板４７の中央部には支柱４３が挿通する挿通孔４７ａが形成され、トップ板４７の４つの腕部４７ｂには下方へ延びて植栽基盤マット３３に差し込まれる係合爪４７ｃが切り起こしにより形成され、トップ板４７は係合爪４７ｃを植栽基盤マット３３に突き刺して植栽基盤マット３３に係合されている。
【００５５】
尚、網状部材２０、仕切材５０、見切り材６０、植栽固定金具４０を構成する部材、閉鎖板７０としては、耐食性に優れた素材で構成することが好ましいが、鉄のように錆びやすい素材で構成する場合には、成形後にメッキ等の防錆処理を施すことになる。
【００５６】
この屋根緑化設備１では、植栽マット３０を網状部材２０の任意の位置に設けた植栽固定金具４０で網状部材２０に固定できるので、網状部材２０に対する植栽マット３０の取付強度を十分に確保でき、しかも網状部材２０を根太フレーム１０の略平坦な取付面１０ａに対して固定設置するので、根太フレーム１０の任意の位置において網状部材２０を固定することが可能となり、根太フレーム１０に対する網状部材２０の取付強度を十分に確保できる。また、植栽マット３０の重量が作用した状態で、根太フレーム１０の載置部１０ｄが山部４の頂部付近に圧接され、載置部１０ｄと折板屋根２との摩擦抵抗により、根太フレーム１０の滑落方向への荷重が効果的に受け止められるので、剣先ボルト８に作用する剪断荷重を軽減して、勾配が比較的大きな折板屋根２に対しても、固定点を増やすことなく屋根緑化設備１を根太フレーム１０を介して折板屋根２上に安定的に固定設置することが可能となる。
【００５７】
次に、ハゼ８４を有する折板屋根８０に対して根太フレーム９０を固定する場合の固定構造について説明する。尚、その他の構成は前記実施例の屋根緑化設備１と同じ構成であるので、同一部材には同一符号を付してその詳細な説明を省略する。
図１３、図１４に示すように、折板屋根８０の山部８１の幅方向の途中部には、上方へ突出する幅狭なクビレ部８２と、クビレ部８２の上端部に形成した円柱部８３とからなるハゼ８４が山部８１に沿って連続的に形成され、この折板屋根８０は、剣先ボルト８に代えてハゼ８４を介して母屋に固定されている。
【００５８】
根太フレーム９０は、本体フレーム１２と、上下の本体フレーム１２を連結する連結部材９１と、連結部材９１を折板屋根８０に固定する１対の固定部材９２とを備え、両固定部材９２にハゼ８４のクビレ部８２に沿って延びる当接部９３と、円柱部８３に沿って延びる円弧状の受け部９４とをそれぞれ形成し、当接部９３及び受け部９４がクビレ部８２及び円柱部８３にそれぞれ圧接されるように左右の固定部材９２を連結部材９１に固定することで、左右の固定部材９２でハゼ８４を挟持して、連結部材９１及び固定部材９２を折板屋根８０に固定できるように構成したものである。
【００５９】
連結部材９１は、平坦なステンレス鋼板や鉄板などの金属板をプレス成形して製作した略Ｃ形断面の部材で、連結部材９１の途中部には固定部材９２が固定され、連結部材９１の両端部には本体フレーム１２がその端部を固定部材９２に略隙間なく連続的に当接させて外嵌され、本体フレーム１２はビス部材１７で連結部材９１に固定されている。
【００６０】
固定部材９２は、ハゼ８４側に配置される縦壁部９２ａと、ハゼ８４から離間して配置される縦壁部９２ｂと、両縦壁部９２ａの下端部を連結する底壁部９２ｃとを有し、平坦なステンレス鋼板や鉄板などの金属板をプレス成形して製作した断面略コ字状の部材で、開口を上側へ向けてハゼ８４の両側の折板屋根８０の山部８１上に配置されている。ハゼ８４側の縦壁部９２ａにはクビレ部８２に沿って延びる当接部９３と、円柱部８３に沿って延びる円弧状の受け部９４とが形成され、左右の固定部材９２はハゼ８４を挟んで対面状に配置され、ハゼ８４から離間した縦壁部９２ｂを連結部材９１の縦壁部９１ａの外側に配置させて側方よりネジ９５で固定することで、当接部９３と受け部９４とがハゼ８４のクビレ部８２及び円柱部８３にそれぞれ圧接されて、両固定部材９２でハゼ８４が挟持され、連結部材９１及び固定部材９２がハゼ８４に固定されるように構成されている。
【００６１】
連結部材９１の下端部には固定部材９２の底壁部９２ｃ上に沿ってハゼ８４側へ延びる折曲規制部９１ｂが形成され、連結部材９１を上方へ突き上げる方向の力が作用したときに、折曲規制部９１ｂが固定部材９２の底壁部９２ｃに当接することで、ハゼ８４を中心として連結部材９１の幅方向の途中部が湾曲することを防止して、固定部材９２が連結部材９１とともにハゼ８４を中心として回動することを防止して、ハゼ８４の円柱部８３から受け部９４が脱落することを防止できるように構成されている。
このような固定部材９２と連結部材９１とからなる固定構造は、折板屋根８０に対する屋根緑化設備の固定構造に限らず、エアコンや太陽熱温水器や太陽電池パネルなどを折板屋根８０に固定するときにおいても使用できる。
【００６２】
尚、前記実施例では本体フレーム１２の下端の載置部１０ｄを折板屋根２、８０の山部４、８１の頂部付近の斜面に載置させたが、山部４、８１の上面に載置させてもよい。特に、ハゼ８４を有する折板屋根８０においては、その上面が比較的幅広に構成されるので、本体フレーム１２に代えて、図１６に示すように、下端部に内側へ折曲させてなる１対の載置部１０ｅを形成した本体フレーム１２Ａを設け、この載置部１０ｅを折板屋根８０の山部８１の上面８１ａに載置して、根太フレーム１０Ａを折板屋根８０にセットしてもよい。
【００６３】
次に、折板屋根２上に網状部材２０を略水平に施工する場合の下地構造１００について説明する。尚、前記実施例と同一部材には同一符号を付してその詳細な説明を省略する。
図１７、図１８に示すように、この下地構造１００の根太フレーム１０Ｂは、前記実施例における本体フレーム１２に代えて、折板屋根２の勾配に適合する角度で軒側へ行くにしたがって嵩高となり、上面が略水平になるように折板屋根２の山部４の頂部に固定設置可能な本体フレーム１２Ｂを備えている。折板屋根２の山部４の頂部に対する本体フレーム１２Ｂの固定は、図示していないが、基本的には前記実施例と同様に剣先ボルト８やハゼ８４を活用してなされている。
【００６４】
根太フレーム１０Ｂの最上段の本体フレーム１２Ｂよりも下側の本体フレーム１２Ｂ上には、上面が最上段の本体フレーム１２Ｂの上面と面一になるように嵩上げ材１０１が固定設置され、網状部材２０は、最上段の根太フレーム１０Ｂの上面と嵩上げ材１０１の上面とにわたって前記実施例と同様に敷設固定されている。折板屋根２の谷部６を挟んでその両側に配置される本体フレーム１２Ｂ又は嵩上げ材１０１は連結部材１０２を介して連結され、本体フレーム１２Ｂや嵩上げ材１０１が横倒れしないように構成されている。
【００６５】
本体フレーム１２Ｂは、側壁部１０ｂの高さを折板屋根２の勾配に適合する角度で軒側へ行くにしたがって嵩高となるように構成した以外は、前記実施例における本体フレーム１２と同様に構成されている。但し、本体フレーム１２Ｂと嵩上げ材１０１とを一体部材で構成することも可能である。
【００６６】
嵩上げ材１０１はロ字状断面やＣ型断面形状の汎用部材で構成され、軒側へ配置させるものほど嵩高なものを使用することで、本体フレーム１２Ｂの上面高さと複数の嵩上げ材１０１の上面高さが同高になるように構成されている。但し、嵩上げ材１０１を省略し、本体フレーム１２Ｂの上面に沿って段階的に段落ちするように網状部材２０を配置させることも可能である。
【００６７】
根太フレーム１０Ｂに対する嵩上げ材１０１の連結は、本体フレーム１２Ｂと嵩上げ材１０１とをボルト等で直接的に連結して行ってもよいし、本体フレーム１２Ｂの側面と嵩上げ材１０１の側面とにわたって固定板を配置させ、この固定板を本体フレーム１２Ｂと嵩上げ材１０１とに固定して両者を連結してもよい。また、連結部材１０２の端部にフランジ部を形成し、このフランジ部を根太フレーム１０Ｂと嵩上げ材１０１とにわたって連結することで、根太フレーム１０Ｂと嵩上げ材１０１とを連結してもよい。
【００６８】
このような下地構造１００の上側に、前述した植生マット３０を配置したり、排水マット３１と遮根シート３２を配置して盛土を施して植生を植えたりして、屋根緑化設備を構成することになる。そして、このような屋上緑化設備では、網状部材２０を略水平に配置できるので、培土や盛土の流失を防止して地面に植生を植える場合と略同様に植生を植えることが可能となる。
【００６９】
【発明の効果】
請求項１に係る折板屋根の屋根緑化設備によれば、折板屋根の山部の頂部に根太フレームを固定し、根太フレームの略平坦な取付面に網状部材を固定載置するので、植栽層の下地材としての網状部材を折板屋根に対して折板屋根固定用の剣先ボルトだけで確実に固定できることになる。また、ハゼで固定した折板屋根に適用する場合においても、剣先ボルトで固定した折板屋根と同様に、根太フレームと折板屋根との接触面積を十分に確保できるので、植栽層の下地材としての網状部材を折板屋根に対して強固に固定できることになる。しかも、既設の折板屋根にも施工でき、折板屋根に対する加工も不要なので容易に施工できる。
【００７０】
また、植栽層への降雨水をそのまま折板屋根の谷部へ排水でき、折板屋根の排水構造を活用して降雨水を排水できるので、構成を複雑にすることなく、排水性に優れた屋根緑化設備を実現できる。また、植栽層自体が折板屋根に直接的に接触しないので、折板屋根の腐蝕等を防止できるとともに、太陽光線による折板屋根の耐久性の低下を防止でき、折板屋根の耐用年数を向上できる。
【００７１】
ここで、前記植栽層として網状部材上に植栽マットを敷設し、複数の植栽固定金具を介して植栽マットを網状部材に固定すると、屋根緑化設備全体を折板屋根に対して折板屋根固定用の剣先ボルトだけで確実に固定できることになる。また、網状部材により折板屋根上に軽量且つ安定した略平坦な設置面を形成できるので、屋根緑化で実績のある軽量且つ簡易な薄層緑化設備の植栽マットを網状部材の上側にそのまま施工することが可能となる。
【００７２】
前記植栽マットとして網状部材上に設置される透水性を有する排水マットを下部に備えたものを用いると、遮根シートや植栽基盤マットの破損を防止できるとともに、山部を乗り越える方向への空気の流動を確保して、高温時の温度低減効果並びに低温時の保温効果を得ることが可能となる。
【００７３】
固定手段として、下側ベース板と上側ベース板とを備えたものを用いると、網状部材を敷設した後、その上側から支柱を固定できるので、植栽固定金具を容易に施工することが可能となる。また、下側ベース板の長さを調整することで、網状部材の開口の任意の位置に支柱を固定できるので、植栽マットの側縁を容易に且つ確実に植栽固定金具で保持することが可能となる。
【００７４】
植栽マットとして排水マットを備えたものを用い、植栽固定金具として、支柱の途中部に、排水マットを網状部材側へ押し付けて、排水マットを網状部材に固定する中間板を配置したものを用いると、遮根シートや植生基盤マット等の施工作業の安全性を十分に確保することが可能となる。
【００７５】
網状部材として開口が菱形状のものを用い、開口の長い方の対角線が折板屋根の山部の長手方向と略直交するように網状部材を施工すると、折板屋根の谷部に臨む位置に作業者が乗ったときの荷重を効果的に受け止めることが可能となる。また、このような菱形状の開口を有する網状部材を用いる場合において、例えば上下のベース板からなる固定手段で網状部材を挟持するときには、下側ベース板のサイズを適正に設定することで、開口内の任意の位置に支柱を固定できるので好ましい。
【００７６】
折板屋根の上下両端部において、折板屋根の谷部の底部に開口を残した状態で谷部を閉鎖する閉鎖板を設けると、折板屋根の谷部内への過度の空気の流入を制限して、植栽マットの乾燥を防止して植生の成長を促進できるとともに、谷部内への風の吹き込みを制限して、植栽マットに下側から突き上げる力が作用することを抑制し、暴風時や強風時における植栽マットの剥離を効果的に防止できる。
【００７７】
根太フレームとして、固定フレームと本体フレームと連結部材とを有するものを用いると、工場等において予め固定フレームに対して剣先ボルトの取付孔等の必要な加工を施しておき、現場では本体フレームを剣先ボルトのピッチに応じて切断し、連結部材を介して固定フレームと本体フレームとを連結するという簡単な作業で、根太フレームを折板屋根に組み付けることが可能となる。また、このように構成することで、固定フレームを取り替えるだけで、この根太フレームをハゼで固定された折板屋根に対してもそのまま適用できるので好ましい。
【００７８】
植栽マットの上部に、透水性を有するベースマットと、ベースマット上に固定した繊維材からなる立体網状構造の培土保持部と備えた植栽基盤マットを設けると、植栽マットの施工後に植栽基盤マットの培土保持部に対して培土を吹き付けて保持させることができるので、予め植栽マットに培土を保持させたものを屋根上に持ち上げる場合と比較して、大型なクレーン等を用いることなく、植栽マットを屋根上に持ち上げて施工することが可能となる。
【００７９】
前記根太フレームとして、折板屋根の勾配に適合する角度で軒側へ行くにしたがって嵩高となり、上面が略水平になるように折板屋根の山部の頂部に固定設置可能なものを用いると、網状部材を略水平に配置することが可能となり、網状部材上に前述した植生マットを敷設できることは云うまでもなく、網状部材上に排水マットや遮根シートを敷設して盛土を施して、草花や低木等の植生を地面等に植えることが可能となる。
【００８０】
前記根太フレームとして同じ構成のものを用い、高さの不足する根太フレーム上に嵩上げ材を固定設置して、網状部材の取付面を略水平に配置すると、屋根緑化設備の製作コストを全体として低減できる。
【００８１】
前記折板屋根の谷部を挟んで隣接配置される根太フレームを連結する連結部材を設けると、根太フレームの嵩高になることによる横倒れを防止できる。
【図面の簡単な説明】
【図１】植栽マットを省略した状態での折板屋根の屋根緑化設備の要部の斜視図
【図２】同屋根緑化設備の分解斜視図
【図３】植栽マットを敷設した状態での図１のＩＩＩ−ＩＩＩ線断面図
【図４】植栽マットを省略した状態での固定フレーム付近の平面図
【図５】図４のＶ−Ｖ線断面図
【図６】図１のＶＩ−ＶＩ線における分解状態での断面図
【図７】見切り材の要部の分解斜視図
【図８】見切り材の連結部分の縦断面図
【図９】植栽固定金具の分解斜視図
【図１０】屋根緑化設備に組み付けた状態での植栽固定金具の縦断面図
【図１１】植栽固定金具の縦断面図
【図１２】図１０のＸＩＩ−ＸＩＩ線断面図
【図１３】ハゼを形成した折板屋根に対する根太フレームの固定部分の分解斜視図
【図１４】同根太フレームを折板屋根に組み付けた状態での図１３のＸＩＶ−ＸＩＶ線断面図
【図１５】同根太フレームを折板屋根に組み付けた状態での図１３のＸＶ−ＸＶ線断面図
【図１６】他の構成の根太フレーム及びそれを組み付けた折板屋根の縦断面図
【図１７】他の構成の屋根緑化設備の下地構造の縦断面図
【図１８】図１７のＸＶＩＩＩ−ＸＶＩＩＩ線断面図
【符号の説明】
１　　　屋根緑化設備　　　２　　　折板屋根
４　　　山部　　　　　　　５　　　作業通路
６　　　谷部　　　　　　　７　　　母屋
７ａ　　支持フレーム　　　８　　　剣先ボルト
９　　　ナット
１０　　根太フレーム　　　１０ａ　取付面
１０ｂ　側壁部　　　　　　１０ｃ　上壁部
１０ｄ　載置部
１１　　固定フレーム　　　１２　　本体フレーム
１３　　連結部材　　　　　１４　　取付孔
１５　　座板　　　　　　　１６　　ナット
１７　　ビス
２０　　網状部材　　　　　２１　　開口
２２　　固定板　　　　　　２３　　ビス
３０　　植栽マット　　　　３１　　排水マット
３２　　遮根シート　　　　３３　　植栽基盤マット
３４　　ベースマット　　　３５　　培土保持部
４０　　植栽固定金具　　　４１　　下側ベース板
４２　　上側ベース板　　　４３　　支柱
４４　　第１ナット部材　　４５　　中間板
４５ａ　挿通孔　　　　　　４５ｂ　第１係合爪
４５ｃ　第２係合爪　　　　４６　　第２ナット部材
４７　　トップ板　　　　　４７ａ　挿通孔
４７ｂ　腕部　　　　　　　４７ｃ　係合爪
４８　　袋ナット
５０　　仕切材　　　　　　５１　　仕切部
５２　　固定部　　　　　　５３　　ビス
６０　　見切り材　　　　　６１　　固定部
６２　　見切り部　　　　　６２ａ　折返部
６２ｂ　ビス
６３　　直列連結部材　　　６４　　コーナ連結部材
６５　　ボルト　　　　　　６６　　ナット
６７　　ボルト　　　　　　６８　　ナット
７０　　閉鎖板　　　　　　７１　　閉鎖部
７２　　連結部　　　　　　８０　　折板屋根
８１　　山部　　　　　　　８２　　クビレ部
８３　　円柱部　　　　　　８４　　ハゼ
９０　　根太フレーム　　　９１　　連結部材
９１ａ　縦壁部　　　　　　９１ｂ　折曲規制部
９２　　固定部材　　　　　９２ａ　縦壁部
９２ｂ　縦壁部　　　　　　９２ｃ　底壁部
９３　　当接部　　　　　　９４　　受け部
９５　　ネジ
１０Ａ　根太フレーム　　　１０ｅ　載置部
１２Ａ　本体フレーム　　　８１ａ　上面
１０Ｂ　根太フレーム　　　１２Ｂ　本体フレーム
１００　下地構造　　　　　１０１　嵩上げ材
１０２　連結部材
【図１】
2004135650.tif 000003
【図２】
2004135650.tif 000004
【図３】
2004135650.tif 000005
【図４】
2004135650.tif 000006
【図５】
2004135650.tif 000007
【図６】
2004135650.tif 000008
【図７】
2004135650.tif 000009
【図８】
2004135650.tif 000010
【図９】
2004135650.tif 000011
【図１０】
2004135650.tif 000012
【図１１】
2004135650.tif 000013
【図１２】
2004135650.tif 000014
【図１３】
2004135650.tif 000015
【図１４】
2004135650.tif 000016
【図１５】
2004135650.tif 000017
【図１６】
2004135650.tif 000018
【図１７】
2004135650.tif 000019
【図１８】
2004135650.tif 000020